(57)【要約】【課題】ユーザの目視による映像品質の判別なしで、映像の品質が良好なチャンネルのみオートプリセット可能とする。【解決手段】受信チャンネルの静止画よりＲＧＢ成分（Ｒｅｄ、Ｇｒｅｅｎ、Ｂｌｕｅの３原色を示す数値データ）を抽出する。この抽出されたＲＧＢ成分が、映像がないことを示すブルーバックかどうか判別する。ブルーバックでない場合は、Ｒ，Ｇ，Ｂ成分それぞれをＤＣＴ（離散コサイン変換）で周波数に変換する。この周波数より高周波成分の絶対値を抽出し、平均値を算出する。この平均値があらかじめ設定した閾値以上であるか否かによりノイズが多いか否かを判別する。ノイズが多い場合は、プリセットせず、ノイズが少ない場合は、受信チャンネルをプリセットする。【選択図】      図３
2006246231.tif 000002
【特許請求の範囲】
【請求項１】
映像信号の映像品質を判定する映像品質判定装置において、
前記映像信号を、画面を構成する画素対応のデジタル映像信号に変換する変換手段と、
前記デジタル映像信号から原色成分を抽出する抽出手段と、
抽出された原色成分に対し、所定画素数単位で直交変換演算処理を行い、高周波成分の絶対値を抽出し、所定抽出数分の絶対値の平均値を算出する算出手段と、
前記平均値の大きさに基づいて映像品質の良否を判定する判定手段とを有することを特徴とする映像品質判定装置。
【請求項２】
前記直交変換演算処理が、離散コサイン変換処理であることを特徴とする請求項１記載の映像品質判定装置。
【請求項３】
前記変換手段が、静止画一画面分のみの前記映像信号を前記デジタル信号に変換して保持することを特徴とする請求項１記載の映像品質判定装置。
【請求項４】
前記映像信号の原色成分が、赤、緑、青の３成分であることを特徴とする請求項１記載の映像品質判定装置。
【請求項５】
前記抽出手段で抽出された原色成分が所定値の青一色であることを検出すると、直ちに、前記映像信号の映像品質が不良であると判定する手段を有することを特徴とする請求項４記載の映像品質判定装置。
【請求項６】
映像信号の映像品質を判定する映像品質判定方法において、
前記映像信号を、画面を構成する画素対応のデジタル映像信号に変換する工程と、
前記デジタル映像信号から原色成分を抽出する工程と、
抽出された原色成分に対し、所定画素数単位で直交変換演算処理を行い、高周波成分の絶対値を抽出し、所定抽出数分の絶対値の平均値を算出する工程と、
前記平均値の大きさに基づいて映像品質の良否を判定する工程とを有することを特徴とする映像品質判定方法。
【請求項７】
前記直交変換演算処理が、離散コサイン変換処理であることを特徴とする請求項６記載の映像品質判定方法。
【請求項８】
前記映像信号をデジタル映像信号に変換する工程において、静止画一画面分のみの前記映像信号を前記デジタル信号に変換して保持することを特徴とする請求項６記載の映像品質判定方法。
【請求項９】
前記映像信号の原色成分が、赤、緑、青の３成分であることを特徴とする請求項６記載の映像品質判定方法。
【請求項１０】
前記デジタル映像信号から抽出された原色成分が所定値の青一色であることを検出すると、直ちに、前記映像信号の映像品質が不良であると判定する工程を有することを特徴とする請求項９記載の映像品質判定方法。
【請求項１１】
映像信号の映像品質を判定するためにコンピュータを、
前記映像信号を、画面を構成する画素対応のデジタル映像信号に変換する変換手段と、
前記デジタル映像信号から原色成分を抽出する抽出手段と、
抽出された原色成分に対し、所定画素数単位で直交変換演算処理を行い、高周波成分の絶対値を抽出し、所定抽出数分の絶対値の平均値を算出する算出手段と、
前記平均値の大きさに基づいて映像品質の良否を判定する判定手段として機能させるための映像品質判定プログラム。
【請求項１２】
前記直交変換演算処理が、離散コサイン変換処理であることを特徴とする請求項１１記載の映像品質判定プログラム。
【請求項１３】
前記変換手段が、静止画一画面分のみの前記映像信号を前記デジタル信号に変換して保持することを特徴とする請求項１１記載の映像品質判定プログラム。
【請求項１４】
前記映像信号の原色成分が、赤、緑、青の３成分であることを特徴とする請求項１１記載の映像品質判定プログラム。
【請求項１５】
前記コンピュータを、
前記抽出手段で抽出された原色成分が所定値の青一色であることを検出すると、直ちに、前記映像信号の映像品質が不良であると判定する手段として機能させることを特徴とする請求項１４記載の映像品質判定プログラム。
【請求項１６】
複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するオートプリセットシステムにおいて、
前記チューナに対して、受信するチャンネルを指定するチューナ制御手段と、
前記チューナの出力映像信号から静止画一画面分の信号を取り込み、画素対応のデジタル映像信号に変換して記録する静止画記録手段と、
前記静止画記録手段に記録されたデジタル映像信号から原色成分を抽出する成分抽出手段と、
抽出された原色成分に対し、所定画素数単位で直交変換演算処理を行い、高周波成分の絶対値を抽出し、所定抽出数分の絶対値の平均値を算出する平均値算出手段と、
前記平均値の大きさに基づいて映像品質の良否を判定する映像品質判定手段と、
映像品質判定手段で映像品質が良好と判定されたチャンネルをプリセット登録するプリセット記録手段とを有することを特徴とするオートプリセットシステム。
【請求項１７】
前記直交変換演算処理が、離散コサイン変換処理であることを特徴とする請求項１６記載のオートプリセットシステム。
【請求項１８】
前記成分抽出手段で抽出された原色成分が所定値の青一色であることを検出すると、直ちに、前記映像信号の映像品質が不良であると判定する手段を有することを特徴とする請求項１６記載のオートプリセットシステム。
【請求項１９】
複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するオートプリセット方法において、
前記チューナに対して、受信するチャンネルを指定する工程と、
前記チューナの出力映像信号から静止画一画面分の信号を取り込み、画素対応のデジタル映像信号に変換して記録する工程と、
前記記録されたデジタル映像信号から原色成分を抽出する工程と、
抽出された原色成分に対し、所定画素数単位で直交変換演算処理を行い、高周波成分の絶対値を抽出し、所定抽出数分の絶対値の平均値を算出する工程と、
前記平均値の大きさに基づいて映像品質の良否を判定する工程と、
映像品質が良好と判定されたチャンネルをプリセット登録する工程とを有することを特徴とするオートプリセット方法。
【請求項２０】
前記直交変換演算処理が、離散コサイン変換処理であることを特徴とする請求項１９記載のオートプリセット方法。
【請求項２１】
前記記録されたデジタル映像信号から抽出された原色成分が所定値の青一色であることを検出すると、直ちに、前記映像信号の映像品質が不良であると判定する工程を有することを特徴とする請求項１９記載のオートプリセット方法。
【請求項２２】
複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するためにコンピュータを、
前記チューナに対して、受信するチャンネルを指定するチューナ制御手段と、
前記チューナの出力映像信号から静止画一画面分の信号を取り込み、画素対応のデジタル映像信号に変換して記録する静止画記録手段と、
前記静止画記録手段に記録された原色成分を抽出する成分抽出手段と、
抽出された原色成分に対し、所定画素数単位で直交変換演算処理を行い、高周波成分の絶対値を抽出し、所定抽出数分の絶対値の平均値を算出する平均値算出手段と、
前記平均値の大きさに基づいて映像品質の良否を判定する映像品質判定手段と、
映像品質判定手段で映像品質が良好と判定されたチャンネルをプリセット登録するプリセット記録手段として機能させるための映像品質判定オートプリセットプログラム。
【請求項２３】
前記直交変換演算処理が、離散コサイン変換処理であることを特徴とする請求項２２記載の映像品質判定オートプリセットプログラム。
【請求項２４】
前記コンピュータを、
前記成分抽出手段で抽出された原色成分が所定値の青一色であることを検出すると、直ちに、前記映像信号の映像品質が不良であると判定する手段として機能させることを特徴とする請求項２２記載の映像品質判定オートプリセットプログラム。
【請求項２５】
請求項１６、１７、または１８記載のオートプリセットシステムを備えることを特徴とするテレビ受信機。
【請求項２６】
コンピュータと、請求項２２、２３、または２４記載の映像品質判定オートプリセットプログラムとを備え、前記コンピュータにより制御されることを特徴とするテレビ受信機。
【請求項２７】
複数のチャンネルのうちの選択したチャンネル上の信号を受信し、少なくとも映像信号を出力するチューナを搭載したテレビ受信ボードを接続し、
請求項１６、１７、または１８記載のオートプリセットシステムを備えることを特徴とするコンピュータ。
【請求項２８】
複数のチャンネルのうちの選択したチャンネル上の信号を受信し、少なくとも映像信号を出力するチューナを搭載したテレビ受信ボードを接続し、
請求項２２、２３、または２４記載の映像品質判定オートプリセットプログラムを備えることを特徴とするコンピュータ。
【発明の詳細な説明】
【技術分野】
【０００１】
本発明は、テレビジョン（以下、テレビあるいはＴＶと略記）放送などの複数チャンネルの映像信号を受信するシステムに関し、特に映像品質の良好なチャンネルのオートプリセットを図るための映像品質判定装置、方法、プログラム等に関する。
【背景技術】
【０００２】
テレビ放送を受信する機能を持ったテレビ（ＴＶ）やビデオ、コンピュータなどの機器は、放送局を選局し放送電波信号に同調するチューナ（ＴＶチューナ）を有している。使用地域や環境によって受信できる放送局（チャンネル）が異なるため、これらの機器の使用開始に先立って、チューナに受信可能なチャンネルの設定（プリセット）をしておく必要がある。このプリセットの方法として、ユーザの手動による方法と、チューナ自身の自動による方法（オートプリセット）とがある。
【０００３】
チューナは、オートプリセットを指示されると、各チャンネルを順次スキャンしながら放送局の有無を判別し、放送局が有ると判別したチャンネルを登録する。放送局の有無の判別は、チューナのＡＦＴ（Ａｕｔｏｍａｔｉｃ  Ｆｒｅｑｕｅｎｃｙ（あるいは、Ｆｉｎｅ）  Ｔｕｎｉｎｇ：自動周波数調整）回路の出力電圧を利用して行う。
【０００４】
すなわち、チューナは、電圧制御の局部発振器を備えており、印加電圧を変更することにより局部発振周波数を変更して放送電波信号に対する同調をとり、中間周波信号を生成している。この時の周波数のずれ（中間周波信号周波数の所定周波数に対するずれ）を自動補正するために、ＡＦＴ回路にて周波数のずれの程度に応じた電圧を発生させ、局部発振器にフィードバックさせている。
【０００５】
このＡＦＴ回路の出力電圧は、周波数のずれ（中間周波信号周波数−所定周波数）が無い状態から正方向／負方向に大きくなるにしたがって、基準電位（０ｖ）から漸次、上昇／下降（あるいは、下降／上昇）する。周波数が正負どちらの方向にずれたとき、電圧を上昇／下降させるかは、局部発振器の印加電圧と発振周波数との関係による。さらに周波数のずれの程度が大きくなれば、漸次、基準電位に戻る。つまり、中間周波信号周波数のずれの元である、放送電波信号の周波数に対する局部発振周波数の高低の変化に応じて、ＡＦＴ回路の出力電圧は、基準電位を中心に上下に１回ずつ変化する。このときの、周波数の変化と、出力電圧の変化の様子を特性図で表すと、周波数の高低に応じて、出力電圧が基準電位を中心軸とした概略Ｓ字のカーブ（ＡＦＴカーブ）となる。したがって、チャンネルスキャン時に、ＡＦＴ回路の出力電圧がＳ字カーブに相当する変化を示せば、そのＳ字の中心点に対応した周波数の放送電波信号があったことになる。
【０００６】
しかし、この従来のオートプリセットでは、自動的にチャンネルをプリセット設定することはできるが、プリセット設定されたチャンネルの映像品質にユーザが満足できない場合がある（第１の問題点）。その理由は、チューナは、放送局の有無を判別して有ならばプリセットしているだけで、映像品質（ノイズの多少、同期外れの有無、など）を確認していないためである。
【０００７】
図５は、上記第１の問題点の例を示す図であり、プリセット番号８のポジションにチャンネル（Ｃｈ）８の放送局が有として、登録されているが、当該放送局の受信映像品質が低品質な場合を示している。
【０００８】
上記第１の問題点を解決するため、映像品質を確認（判定）する方法として、各チャンネルの静止画を表示する方法が考えられる。しかし、この方法では、映像品質の判定はユーザの目視に頼り、判定結果を手動で入力してもらう必要があるため、オートプリセットできない（第２の問題点）。
【０００９】
図６は、上記第２の問題点の例を示す図であリ、チャンネル（Ｃｈ）１〜８の静止画画面を順次観察し、映像品質が良好なチャンネルとして、チャンネル２，７を選択する場合を示している。
【００１０】
このため、受信信号の微弱な放送局を無視し、画質の優れた放送局のみをオートプリセットする技術として、チューナの中間周波出力から得られるＡＧＣ（自動利得制御）信号をＡＦＴ信号と共に用いてプリセットを行う技術が提案されている（特許文献１参照）。
【００１１】
また、他のオートプリセット技術として、地域ごとに放送局情報を記憶したメモリを備え、各チャンネルの受信状態から受信地域を判定し、受信地域に応じたプリセットを行う技術が提案されている（特許文献２参照）。
【００１２】
【特許文献１】特開平８−１７２３４４公報（第１−２頁、図１−２）
【特許文献２】特開２０００−１３６９９号公報（第１−２頁、図１−２）
【発明の開示】
【発明が解決しようとする課題】
【００１３】
上述した特許文献１記載技術では、オートプリセット時のＡＧＣ信号のレベルを、通常時よりもチューナの受信感度が低下する固定値になるように制御することにより、微弱局がプリセットされることを防止している。しかし、この技術では、受信感度を下げているだけなので、ノイズが多い場合、映像品質が良好でないにもかかわらず、プリセットしてしまうことがある。
【００１４】
また、特許文献２記載技術では、放送局の有無の判別結果と、地域ごとのチャンネル情報からなる放送局情報とが一致しないため、受信地域を誤り正しいプリセットにならない場合がある（第３の問題点）。その理由は、チューナの感度が上がり、映像品質が良好でなくても遠方の放送を受信できるようになったためである。
【００１５】
図７は、上記第３の問題点の例を示す図であり、地域Ａでの受信にもかかわらず、プリセット番号８，１０，１１，１２において、他地域Ｂの放送局に合わせたプリセットがされている場合を示す。
【００１６】
さらに、特許文献２記載技術では、地域ごとに放送局情報を記憶したメモリを必要とし、コストがかかる。また、放送局の新設や、チャンネルの変更があった場合に、オートプリセットができなくなってしまう。
【００１７】
本発明の目的は、映像品質の良否判定を、映像信号のみから自動的に且つ従来技術より正確に行うことができる手段、方法を提供することにある。
【課題を解決するための手段】
【００１８】
本発明の請求項１に係る映像品質判定装置は、映像信号の映像品質を判定する映像品質判定装置において、前記映像信号を、画面を構成する画素対応のデジタル映像信号に変換する変換手段と、前記デジタル映像信号から原色成分を抽出する抽出手段と、抽出された原色成分に対し、所定画素数単位で直交変換演算処理を行い、高周波成分の絶対値を抽出し、所定抽出数分の絶対値の平均値を算出する算出手段と、前記平均値の大きさに基づいて映像品質の良否を判定する判定手段とを有する。
【００１９】
本発明の請求項２に係る映像品質判定装置は、請求項１に係る映像品質判定装置において、前記直交変換演算処理が、離散コサイン変換処理である。
【００２０】
本発明の請求項３に係る映像品質判定装置は、請求項１に係る映像品質判定装置において、前記変換手段が、静止画一画面分のみの前記映像信号を前記デジタル信号に変換して保持する。
【００２１】
本発明の請求項４に係る映像品質判定装置は、請求項１に係る映像品質判定装置において、前記映像信号の原色成分が、赤、緑、青の３成分である。
【００２２】
本発明の請求項５に係る映像品質判定装置は、請求項４に係る映像品質判定装置において、前記抽出手段で抽出された原色成分が所定値の青一色であることを検出すると、直ちに、前記映像信号の映像品質が不良であると判定する手段を有する。
【００２３】
本発明の請求項６に係る映像品質判定方法は、映像信号の映像品質を判定する映像品質判定方法において、前記映像信号を、画面を構成する画素対応のデジタル映像信号に変換する工程と、前記デジタル映像信号から原色成分を抽出する工程と、抽出された原色成分に対し、所定画素数単位で直交変換演算処理を行い、高周波成分の絶対値を抽出し、所定抽出数分の絶対値の平均値を算出する工程と、前記平均値の大きさに基づいて映像品質の良否を判定する工程とを有する。
【００２４】
本発明の請求項７に係る映像品質判定方法は、請求項６に係る映像品質判定方法において、前記直交変換演算処理が、離散コサイン変換処理である。
【００２５】
本発明の請求項８に係る映像品質判定方法は、請求項６に係る映像品質判定方法において、前記映像信号をデジタル映像信号に変換する工程において、静止画一画面分のみの前記映像信号を前記デジタル信号に変換して保持する。
【００２６】
本発明の請求項９に係る映像品質判定方法は、請求項６に係る映像品質判定方法において、前記映像信号の原色成分が、赤、緑、青の３成分である。
【００２７】
本発明の請求項１０に係る映像品質判定方法は、請求項９に係る映像品質判定方法において、前記デジタル映像信号から抽出された原色成分が所定値の青一色であることを検出すると、直ちに、前記映像信号の映像品質が不良であると判定する工程を有する。
【００２８】
本発明の請求項１１に係る映像品質判定プログラムは、映像信号の映像品質を判定するためにコンピュータを、前記映像信号を、画面を構成する画素対応のデジタル映像信号に変換する変換手段と、前記デジタル映像信号から原色成分を抽出する抽出手段と、抽出された原色成分に対し、所定画素数単位で直交変換演算処理を行い、高周波成分の絶対値を抽出し、所定抽出数分の絶対値の平均値を算出する算出手段と、前記平均値の大きさに基づいて映像品質の良否を判定する判定手段として機能させる。
【００２９】
本発明の請求項１２に係る映像品質判定プログラムは、請求項１１に係る映像品質判定プログラムにおいて、前記直交変換演算処理が、離散コサイン変換処理である。
【００３０】
本発明の請求項１３に係る映像品質判定プログラムは、請求項１１に係る映像品質判定プログラムにおいて、前記変換手段が、静止画一画面分のみの前記映像信号を前記デジタル信号に変換して保持する。
【００３１】
本発明の請求項１４に係る映像品質判定プログラムは、請求項１１に係る映像品質判定プログラムにおいて、前記映像信号の原色成分が、赤、緑、青の３成分である。
【００３２】
本発明の請求項１５に係る映像品質判定プログラムは、請求項１４に係る映像品質判定プログラムにおいて、前記コンピュータを、前記抽出手段で抽出された原色成分が所定値の青一色であることを検出すると、直ちに、前記映像信号の映像品質が不良であると判定する手段として機能させる。
【００３３】
本発明の請求項１６に係るオートプリセットシステムは、複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するオートプリセットシステムにおいて、前記チューナに対して、受信するチャンネルを指定するチューナ制御手段と、前記チューナの出力映像信号から静止画一画面分の信号を取り込み、画素対応のデジタル映像信号に変換して記録する静止画記録手段と、前記静止画記録手段に記録されたデジタル映像信号から原色成分を抽出する成分抽出手段と、抽出された原色成分に対し、所定画素数単位で直交変換演算処理を行い、高周波成分の絶対値を抽出し、所定抽出数分の絶対値の平均値を算出する平均値算出手段と、前記平均値の大きさに基づいて映像品質の良否を判定する映像品質判定手段と、映像品質判定手段で映像品質が良好と判定されたチャンネルをプリセット登録するプリセット記録手段とを有する。
【００３４】
本発明の請求項１７に係るオートプリセットシステムは、請求項１６に係るオートプリセットシステムにおいて、前記直交変換演算処理が、離散コサイン変換処理である。
【００３５】
本発明の請求項１８に係るオートプリセットシステムは、請求項１６に係るオートプリセットシステムにおいて、前記成分抽出手段で抽出された原色成分が所定値の青一色であることを検出すると、直ちに、前記映像信号の映像品質が不良であると判定する手段を有する。
【００３６】
本発明の請求項１９に係るオートプリセット方法は、複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するオートプリセット方法において、前記チューナに対して、受信するチャンネルを指定する工程と、前記チューナの出力映像信号から静止画一画面分の信号を取り込み、画素対応のデジタル映像信号に変換して記録する工程と、前記記録されたデジタル映像信号から原色成分を抽出する工程と、抽出された原色成分に対し、所定画素数単位で直交変換演算処理を行い、高周波成分の絶対値を抽出し、所定抽出数分の絶対値の平均値を算出する工程と、前記平均値の大きさに基づいて映像品質の良否を判定する工程と、映像品質が良好と判定されたチャンネルをプリセット登録する工程とを有する。
【００３７】
本発明の請求項２０に係るオートプリセット方法は、請求項１９に係るオートプリセット方法において、前記直交変換演算処理が、離散コサイン変換処理である。
【００３８】
本発明の請求項２１に係るオートプリセット方法は、請求項１９に係るオートプリセット方法において、前記記録されたデジタル映像信号から抽出された原色成分が所定値の青一色であることを検出すると、直ちに、前記映像信号の映像品質が不良であると判定する工程を有する。
【００３９】
本発明の請求項２２に係る映像品質判定オートプリセットプログラムは、複数のチャンネルのうちの選択したチャンネル上の信号を受信し、少なくとも映像信号を出力するチューナに対し、前記映像信号の映像品質が良好なチャンネルを自動的に検出し有意な選択対象としてプリセット登録するためにコンピュータを、前記チューナに対して、受信するチャンネルを指定するチューナ制御手段と、前記チューナの出力映像信号から静止画一画面分の信号を取り込み、画素対応のデジタル映像信号に変換して記録する静止画記録手段と、前記静止画記録手段に記録された原色成分を抽出する成分抽出手段と、抽出された原色成分に対し、所定画素数単位で直交変換演算処理を行い、高周波成分の絶対値を抽出し、所定抽出数分の絶対値の平均値を算出する平均値算出手段と、前記平均値の大きさに基づいて映像品質の良否を判定する映像品質判定手段と、映像品質判定手段で映像品質が良好と判定されたチャンネルをプリセット登録するプリセット記録手段として機能させる。
【００４０】
本発明の請求項２３に係る映像品質判定オートプリセットプログラムは、請求項２２に係る映像品質判定オートプリセットプログラムにおいて、前記直交変換演算処理が、離散コサイン変換処理である。
【００４１】
本発明の請求項２４に係る映像品質判定オートプリセットプログラムは、請求項２２に係る映像品質判定オートプリセットプログラムにおいて、前記コンピュータを、前記成分抽出手段で抽出された原色成分が所定値の青一色であることを検出すると、直ちに、前記映像信号の映像品質が不良であると判定する手段として機能させる。
【００４２】
本発明の請求項２５に係るテレビ受信機は、請求項１６、１７、または１８に係るオートプリセットシステムを備える。
【００４３】
本発明の請求項２６に係るテレビ受信機は、コンピュータと、請求項２２、２３、または２４記載の映像品質判定オートプリセットプログラムとを備え、前記コンピュータにより制御される。
【００４４】
本発明の請求項２７に係るコンピュータは、複数のチャンネルのうちの選択したチャンネル上の信号を受信し、少なくとも映像信号を出力するチューナを搭載したテレビ受信ボードを接続し、請求項１６、１７、または１８に係るオートプリセットシステムを備える。
【００４５】
本発明の請求項２８に係るコンピュータは、複数のチャンネルのうちの選択したチャンネル上の信号を受信し、少なくとも映像信号を出力するチューナを搭載したテレビ受信ボードを接続し、請求項２２、２３、または２４に係る映像品質判定オートプリセットプログラムを備える。
【発明の効果】
【００４６】
本発明によれば、映像信号から抽出した高周波成分の大きさに基づいてノイズの多少（映像品質の良否）を判定するので、映像品質の良否判定を、映像信号のみから自動的に且つ従来技術より正確に行うことができる。
【発明を実施するための最良の形態】
【００４７】
次に、本発明を実施するための最良の形態について図面を参照して詳細に説明する。
【実施例１】
【００４８】
図１は、本発明のオートプリセットシステムの一実施の形態（実施例１）を示すブロック構成図である。図１を参照すると、本実施例のオートプリセットシステムは、主制御部７１と、オートプリセット処理装置２１と、記憶装置２７とを備えており、チューナ部（以下、チューナと略記）１０に対する映像品質が良好なチャンネルのオートプリセットを行う。
【００４９】
なお、本実施例は、テレビ放送を受信する受信システムの部分的なシステムとして構成されたものである。チューナ１０の受信するテレビ放送は、アナログのＮＴＳＣ方式とし、ＶＨＦ帯およびＵＨＦ帯合わせて６２チャンネル分あるとする。また、チューナ１０で受信されたテレビ放送は、図示していない他の回路（映像信号処理回路、モニター、音声信号処理回路、スピーカなど）を介して、映像及び音声としてユーザ（視聴者）に提供される。
【００５０】
主制御部７１は、図示していないが、ＣＰＵ（中央処理装置：プロセッサ）及びメモリを有しており、ＣＰＵの制御の下、メモリに格納されたプログラムやデータによる処理を行う。すなわち、主制御部７１は、コンピュータシステムの一部として構成され、格納したアプリケーションプログラム１の働きによりオートプリセット処理装置２１に対するオートプリセットの指示を行う。アプリケーションプログラム１は、初期設定時（インストールされたとき）、あるいは、図示していない手段を介してユーザからの指示を受けたときに、オートプリセットの指示を行う。
【００５１】
アプリケーションプログラム１は、モニター画面及び入力機器を介して、ユーザとの間で情報を送受信し、ユーザの希望するテレビ放送の視聴環境を提供するプログラムである。
【００５２】
記憶装置２７は、静止画メモリ部２８と、チャンネルプリセットメモリ部２９とを有し、情報を格納する。静止画メモリ部２８は、映像の静止画を、モニターの画面を構成する画素（ピクセル）単位のビットマップ形式（ｂｉｔｍａｐ：図形や文字を点の集まりで表現する形式）で格納する。各画素は、Ｒ（Ｒｅｄ：赤）、Ｇ（Ｇｒｅｅｎ：緑）、Ｂ（Ｂｌｕｅ：青）の３原色成分ごとのレベルデータで表される。チャンネルプリセットメモリ部２９は、プリセットするチャンネル情報を格納する。なお、記憶装置２７を主制御部７１のメモリと共用するようにしてもよい。
【００５３】
オートプリセット処理装置２１は、映像品質判定オートプリセット制御部２６と、チューナ制御部２３と、静止画キャプチャ部２４と、チャンネルプリセット部２５とを有している。
【００５４】
映像品質判定オートプリセット制御部２６は、主制御部７１からのオートプリセットの開始命令（ＡＰＳ）を受けると、オートプリセット処理装置２１内の他の各部及び記憶装置２７内の各部を制御し、チューナ１０に対するオートプリセット処理を行う。映像品質判定オートプリセット制御部２６はまた、オートプリセット処理が完了すると、主制御部７１に対しオートプリセット完了通知（ＡＰＥ）を発行する。
【００５５】
すなわち、オートプリセット開始命令ＡＰＳは、アプリケーションプログラム１からオートプリセット処理装置２１へ発行されるオートプリセット開始を示す命令である。また、オートプリセット完了通知ＡＰＥは、オートプリセット処理装置２１からアプリケーションプログラム１へ発行されるオートプリセット完了を示す通知である。
【００５６】
チューナ制御部２３は、映像品質判定オートプリセット制御部２６によって指定されたチャンネルに、チューナ１０を設定する。チューナ制御部２３は、チューナ１０からの出力信号（映像信号）に対し、同期信号（水平同期信号、垂直同期信号）の検知機能や、各色成分（Ｒ、Ｇ、Ｂ）の抽出機能を有する。ただし後述するように、チューナ１０からの出力映像信号を受ける映像信号処理回路（図示せず）にて、同期信号の検出、及び各色成分（Ｒ、Ｇ、Ｂ）の抽出を行っている。したがって、チューナ制御部２３は、この映像信号処理回路から、同期信号の検出結果や、各色成分（Ｒ、Ｇ、Ｂ）の抽出結果の情報を受け取るようにしてもよい。
【００５７】
また、チューナ制御部２３は、オートプリセット時に限らず、視聴者による実際の放送視聴時にも、チューナ１０に対する受信チャンネル指定を行うことができる。
【００５８】
静止画キャプチャ部２４は、映像品質判定オートプリセット制御部２６からの静止画キャプチャ要求により、チューナ制御部２３で処理している映像信号から静止画を抽出し、ＲＧＢ成分対応のビットマップ形式で静止画メモリ部２８に格納する。
【００５９】
チャンネルプリセット部２５は、映像品質判定オートプリセット制御部２６より指定されたチャンネルを、チャンネルプリセットメモリ部２９に格納する。
【００６０】
チューナ１０は、チューナ制御部２３により指定されたチャンネルに受信チャンネルを設定（選局）し、当該チャンネルのテレビ放送電波信号を受信（同調）することができる。チューナ１０は、放送信号を中間周波信号にダウンコンバートするための局部発振周波数を、中間周波信号の検波結果に応じて調整しながら、指定されたチャンネルの周波数帯域内で放送信号が受信できるかどうか試みる。
【００６１】
チューナ１０は、放送信号を受信すると、アナログの映像信号（ビデオ信号）及び音声信号（オーディオ信号）として出力する。チューナ１０の出力は、図示していない映像信号処理回路及び音声信号処理回路により、ＮＴＳＣ方式のＲＧＢ別の色信号処理、及び音声信号処理され、ディスプレイ及びスピーカにより、可視表示及び可聴表示される。なお、上述したように、映像信号処理回路における、同期信号処理、及び色信号処理の結果情報をチューナ制御部２３に引き渡すようにすることができる。
【００６２】
次に、図１とともに、映像品質判定オートプリセット制御部２６の動作フローを示す図３を参照しながら本実施例の動作について詳細に説明する。
【００６３】
主制御部７１において、アプリケーションプログラム１が、映像品質判定オートプリセット制御部２６に対してオートプリセット開始命令ＡＰＳを発行する。映像品質判定オートプリセット制御部２６は、このオートプリセット開始命令ＡＰＳを受信してオートプリセット処理を開始する（図３のステップＡ１）。
【００６４】
映像品質判定オートプリセット制御部２６は、図示していないが、チューナ１０における映像品質を判定する対象となるチャンネルを示すためのカウンタ（チャンネルカウンタ）を内蔵しており、まず、このカウンタの値を＋１する。なお、カウンタの初期値は“０”なので、一番最初は“１”となる（ステップＡ２）。
【００６５】
映像品質判定オートプリセット制御部２６は、全チャンネル（アナログＶＨＦ及びＵＨＦの６２チャンネル）のサーチが終了したか判別するため、チャンネルカウンタの値が“６２”を超えたか、すなわち“６３”か判別する（ステップＡ３）。
【００６６】
映像品質判定オートプリセット制御部２６は、チャンネルカウンタの値が“６３”でない場合は、全チャンネルのサーチが終了していないと判断し、チューナ制御部２３にカウンタの値の受信チャンネル設定を要求する。チューナ制御部２３は、この受信チャンネル設定要求より、チューナ１０にカウンタの値の受信チャンネルを設定する（ステップＡ４）。
【００６７】
チューナ１０は、設定されたチャンネルでテレビ放送信号の受信を試み、受信信号の品質に応じた映像信号、音声信号を出力する。チューナ制御部２３は、チューナ１０の映像出力信号を受信し、同期信号の監視、及びＲＧＢ成分の抽出（画素（ピクセル）単位でのＲＧＢ別の値の復元）を行う。チューナ制御部２３は、チューナ１０の出力信号中に同期信号を検出できない場合は、映像がないことを示すために、ＲＧＢ成分をＢ成分（青一色：ブルーバック）とする。
【００６８】
なお、上述したように、映像信号処理回路で、チューナ１０の映像出力信号を受信し、同期信号の監視、及びＲＧＢ成分の抽出（画素（ピクセル）単位でのＲＧＢ別の値の復元）を行っている。この映像信号処理回路で、チューナ１０の出力信号中に同期信号を検出できない場合は、映像がないことを示すために、ＲＧＢ成分をＢ成分（青一色：ブルーバック）とするようにしておくことができる。このようにした場合、チューナ制御部２３は、同期信号の監視やＲＧＢ成分の抽出を自身で行わずに、映像信号処理回路からＲＧＢ成分の情報を受信するようにすることができる。
【００６９】
次に、映像品質判定オートプリセット制御部２６は、静止画キャプチャ部２４に静止画キャプチャを要求する。静止画キャプチャ部２４は、この静止画キャプチャ要求により、チューナ制御部２３から静止画を取得し、ビットマップ形式で静止画メモリ部２８に格納する（ステップＡ５）。
【００７０】
映像品質判定オートプリセット制御部２６はさらに、静止画メモリ部２８に格納された静止画よりＲＧＢ成分を抽出する（ステップＡ６）。
【００７１】
映像品質判定オートプリセット制御部２６は、抽出されたＲＧＢ成分が、ブルーバック（映像がないことを示す青一色の映像）かどうか判別する（ステップＡ７）。
【００７２】
抽出されたＲＧＢ成分がブルーバックの場合は、映像品質判定オートプリセット制御部２６は、次のチャンネルをサーチするためステップＡ２の処理に戻る。
【００７３】
抽出されたＲＧＢ成分がブルーバックでない場合は、映像品質判定オートプリセット制御部２６は、Ｒ，Ｇ，Ｂ成分それぞれをＤＣＴ（Ｄｉｓｃｒｅｔｅ  Ｃｏｓｉｎｅ  Ｔｒａｎｓｆｏｒｍ：離散コサイン変換）で周波数に変換する（ステップＡ８）。
【００７４】
ここでＤＣＴによる周波数変換の原理を説明する。ＤＣＴは、空間領域の情報を周波数領域の情報に変換する直交変換演算処理の一種である。
【００７５】
Ｒ，Ｇ，Ｂのいずれかの成分のピクセルごとの入力信号（一次元入力信号）をf(x)とする。ｘは入力信号の順番（変換点位置）を表し、変換点数Ｎ個の入力信号に対し、０からＮ−１までの値を割り当てる。このときの求めるＤＣＴ係数をC(j)とする。ｊも同様に０からＮ−１までの値をとり、ｊが０の場合、ＤＣＴ係数（C(0)）は直流成分（その大きさ）を表し、ｊが０でない場合、各ＤＣＴ係数（C(1)，C(2)，…，C(N-1)）は対応する周波数の交流成分（その大きさ）を表す。ｊの値が大きくなるに従い、周波数が高くなる。ｊ＝Ｎ−１のときのＤＣＴ係数、C(N-1)が最高周波数の成分（その大きさ）を表す。
【００７６】
このＤＣＴ係数C(j)は、以下に示すように、ｘを０からＮ−１まで変化させたときの、f(x)W(j,x)の総和で求められる。すなわち、
C(j)＝f(0)W(j,0)＋f(1)W(j,1)＋…＋f(N-1)W(j,N-1)、で表される。
ここで、W(j,x)はｊの値によって異なる式となる。ｊ＝０のときは、
W(0,x)＝（１／Ｎ）1/2、となる。
ｊ＝１，２，…，Ｎ−１のときは、
W(j,x)＝（２／Ｎ）1/2ｃｏｓ（（２ｘ＋１）ｊπ／２Ｎ）、となる。
【００７７】
例えば、幅が８、高さが１のピクセルをＤＣＴする場合、Ｎ＝８となり、ｘ＝０〜７となる。このとき、ｊ＝Ｎ−１＝７に相当するC(j)＝C(7)が、最高周波数成分となる。本実施例では、以下の説明において用いる高周波成分として、この最高周波数成分のみを用いることとする。
【００７８】
映像品質判定オートプリセット制御部２６は、静止画から抽出された各色（Ｒ、Ｇ、Ｂ）別に、所定のピクセル単位でＤＣＴ処理を行い、高周波成分の値を算出し、その絶対値を求める（高周波成分の値をＸとした場合、│Ｘ│を求める）。映像品質判定オートプリセット制御部２６は、この絶対値の算出処理を、対象とするピクセル位置を順次ずらしながら複数回行う。絶対値算出の対象ピクセルは、静止画１画面分の全ピクセルとしてもよいし、適当な間隔で間引いたピクセルとしてもよい。
【００７９】
映像品質判定オートプリセット制御部２６は続いて、所定回数分のＤＣＴ処理により求められた各色別の絶対値の平均値（Ｒ平均値、Ｇ平均値、Ｂ平均値）を算出する。映像品質判定オートプリセット制御部２６はさらに、これら各色別の平均値の平均値（総平均値＝（Ｒ平均値＋Ｇ平均値＋Ｂ平均値）／３）を算出する（ステップＡ９）。
【００８０】
映像品質判定オートプリセット制御部２６は、この平均値（総平均値）をあらかじめ設定された閾値と比較することにより、ノイズが多いか判別し、映像品質が良好か不良か判断する。（ステップＡ１０）。
【００８１】
ノイズが多い場合（総平均値が閾値以上の場合）は、映像品質判定オートプリセット制御部２６は、映像品質は不良と判断し、次のチャンネルをサーチするためステップＡ２の処理に戻る。
【００８２】
ノイズが少ない場合（総平均値が閾値未満の場合）は、映像品質判定オートプリセット制御部２６は、映像品質は良好と判断し、チャンネルプリセット部２５にカウンタ（チャンネルカウンタ）の値のチャンネルのプリセットを要求する。チャンネルプリセット部２５は、このチャンネルプリセット要求により、チャンネルプリセットメモリ部２９にカウンタの値のチャンネル番号を格納する（ステップＡ１１）。
【００８３】
チャンネルプリセットメモリ部２９におけるチャンネル番号の格納は、通常、次のように行われる。プリセット可能なチャンネル総数（例えば、１２個）対応に、プリセットポジションが設けられている。ＶＨＦであるチャンネル１〜１２において、プリセットすべきチャンネル（ヒットしたチャンネル）があれば、該当チャンネル番号をチャンネル番号と同一のプリセットポジション位置に登録する。ＵＨＦであるチャンネル１３〜６２においては、ヒットしたチャンネルがあれば、該当チャンネル番号をまだチャンネル番号が設定されていないプリセットポジション位置に登録する。このとき、ヒットしたチャンネルの大きい順に、空いてるプリセットポジションの大きい方から登録する。
【００８４】
なお、プリセットポジション全てにチャンネル番号が登録された場合、残りのチャンネルのサーチ方法について任意に選択可能である。例えば、残りのチャンネルのサーチを止めてしまう方法がある。あるいは、残りのチャンネルをサーチし、プリセット対象のチャンネルが検出された場合、そのチャンネルの受信レベルが登録済みのチャンネルの受信レベルより上回っていたら、登録チャンネル番号を置き換える方法などがある。
【００８５】
ステップＡ１１の処理後、映像品質判定オートプリセット制御部２６は、ステップＡ２の処理に戻る。
【００８６】
映像品質判定オートプリセット制御部２６は、ステップＡ２の処理において、前述のようにカウンタ（チャンネルカウンタ）の値を＋１する。映像品質判定オートプリセット制御部２６はさらに、全チャンネルのサーチが終了したか判別するため、カウンタの値が“６３”か判別する（ステップＡ３）。
【００８７】
カウンタの値が“６３”でない場合は、映像品質判定オートプリセット制御部２６は、全チャンネルのサーチが終了していないと判断し、次のチャンネルをサーチするため、ステップＡ４の処理に進み、再度、映像品質の判定を行う。
【００８８】
カウンタの値が“６３”である場合は、映像品質判定オートプリセット制御部２６は、全チャンネルのサーチが終了したと判断し、カウンタを“０”クリアする（ステップＡ２１）。映像品質判定オートプリセット制御部２６は最後に、オートプリセット完了通知ＡＰＥをアプリケーションプログラム１へ発行して、オートプリセット処理を終了する（ステップＡ２２）。
【００８９】
図４は、このようにして得られた、チャンネルプリセットメモリ部２９におけるチャンネル登録の一例を示す図である。図４の分図（Ｂ）に示すように、良好な映像品質で受信できたチャンネル（Ｃｈ）が、２，４，６，２８，３０，３２である場合、図４の分図（Ａ）に示すように登録される。すなわち、ＶＨＦであるＣｈ２，４，６は、そのまま、プリセットポジション２，４，６に登録される。ＵＨＦであるＣｈ３２，３０，２８は、２，４，６以外のプリセットポジション、ここでは１２，１１，１０に登録される。
【００９０】
なお、チューナ１０の映像出力信号中に同期信号を検出できない場合、ＲＧＢの各成分は正常に再生されず、ノイズを多数含むことになる。したがって、同期信号の有無にかかわらず、ＲＧＢ成分のノイズの多少のみによって、映像信号の品質を判断することができる場合がある。このような場合は、チューナ制御部２３における、ブルーバック化処理を省略することができる。ブルーバック化処理を省略した場合は、上述したステップＡ７の処理を省略し、ステップＡ６の処理後、直ちにステップＡ８の処理を行うようにする。
【００９１】
上述したように、本実施の形態によれば、受信チャンネルの静止画にノイズが少ないかどうか判別してプリセットするというように構成されているため、映像品質が良好なチャンネルをプリセットできる。また、本実施の形態では、ユーザが介在することなしに映像品質を判別できるように構成されているため、自動でプリセットできる。また、実際に映像品質が良好なチャンネルをプリセットするように構成されているため、受信地域の正しいプリセットができる。
【００９２】
また、本実施の形態を適用するチューナは、特許文献１に記載されたような、オートプリセット時に特別な信号（固定レベルＡＧＣ信号）を出力するものである必要はない。出力信号が通常時とオートプリセット時とで区別のないチューナに対しても、本実施の形態を適用することができる。
【００９３】
オートプリセット処理が完了した後、ユーザの操作に従い、主制御部７１（アプリケーションプログラム１）は、図示していない選局処理手段を介して、チャンネルプリセットメモリ部２９に格納されたチャンネルに基づいて、チューナに対する選局処理を行う。なお、この選局処理手段におけるチューナ１０に対するチャンネル指定を行うチューナ制御手段を、オートプリセット処理装置２１のチューナ制御部２３と共用するようにすることができる。
【実施例２】
【００９４】
次に、本発明のオートプリセットシステムの他の実施の形態（実施例２）を図２に示す。図２を参照すると、本例のオートプリセットシステムは、図１に示す実施例１のオートプリセットシステムと基本的な構成は同じであり、主制御部７２と、オートプリセット処理装置２２と、記憶装置２７とを備えており、チューナ部（以下、チューナと略記）１０に対する映像品質が良好なチャンネルのオートプリセットを行う。
【００９５】
実施例２のオートプリセットシステムが実施例１のそれと異なる点は、オートプリセット処理装置２２の映像品質判定オートプリセット制御部２６の代わりに、これと同等の働きをする映像品質判定オートプリセットプログラム２を主制御部７２に格納していることである。すなわち、映像品質判定オートプリセットプログラム２は、アプリケーションプログラム１とともに、主制御部７２内の図示していないメモリに格納されており、図示していないＣＰＵの制御の下、オートプリセット処理装置２２に対する所定の処理を実行する。なお、主制御部７２用のメモリを記憶装置２７のメモリと共用可能なことは実施例１の場合と同様である。
【００９６】
オートプリセット処理装置２２は、チューナ制御部２３と、静止画キャプチャ部２４と、チャンネルプリセット部２５とを備えており、映像品質判定オートプリセットプログラム２によって制御される。
【００９７】
チューナ制御部２３、静止画キャプチャ部２４、チャンネルプリセット部２５、記憶装置２７、及びチューナ１０の構成や機能は、実施例１のものと変わりはないので、詳細説明は省略する。また、図示していない映像信号処理回路により処理されたＲＧＢ成分の情報を、チューナ制御部２３で受け取るようにしてもよい点も、実施例１の場合と同様である。
【００９８】
次に、この映像品質判定オートプリセットプログラム２の動作を、実施例１と同様に、図２とともに図３を参照しながら詳細に説明する。
【００９９】
主制御部７２において、アプリケーションプログラム１は、映像品質判定オートプリセットプログラム２に対してオートプリセット開始命令ＡＰＳを発行する。映像品質判定オートプリセットプログラム２は、このオートプリセット開始命令ＡＰＳを受信してオートプリセット処理を開始する（図３のステップＡ１）。
【０１００】
映像品質判定オートプリセットプログラム２は、メモリ内の所定アドレス部分を、チューナ１０における映像品質を判定する対象となるチャンネルを示すためのカウンタ（チャンネルカウンタ）として割り当てており、まず、このカウンタの値を＋１する。なお、カウンタの初期値は“０”なので、一番最初は“１”となる（ステップＡ２）。
【０１０１】
映像品質判定オートプリセットプログラム２は、全チャンネル（アナログＶＨＦ及びＵＨＦの６２チャンネル）のサーチが終了したか判別するため、チャンネルカウンタの値が“６２”を超えたか、すなわち“６３”か判別する（ステップＡ３）。
【０１０２】
映像品質判定オートプリセットプログラム２は、チャンネルカウンタの値が“６３”でない場合は、全チャンネルのサーチが終了していないと判断し、オートプリセット処理装置２２のチューナ制御部２３にカウンタの値の受信チャンネル設定を要求する。チューナ制御部２３は、この受信チャンネル設定要求より、チューナ１０にカウンタの値の受信チャンネルを設定する（ステップＡ４）。
【０１０３】
次に、映像品質判定オートプリセットプログラム２は、オートプリセット処理装置２２の静止画キャプチャ部２４に静止画キャプチャを要求する。静止画キャプチャ部２４は、この静止画キャプチャ要求により、チューナ制御部２３から静止画を取得し、ビットマップ形式で静止画メモリ部２８に格納する（ステップＡ５）。
【０１０４】
映像品質判定オートプリセットプログラム２はさらに、静止画メモリ部２８に格納された静止画よりＲＧＢ成分（Ｒｅｄ（赤）、Ｇｒｅｅｎ（緑）、Ｂｌｕｅ（青）の光の３原色を示す数値データ）を抽出する（ステップＡ６）。
【０１０５】
映像品質判定オートプリセットプログラム２は、抽出されたＲＧＢ成分が、ブルーバック（映像がないことを示す青一色の映像）かどうか判別する（ステップＡ７）。
【０１０６】
抽出されたＲＧＢ成分がブルーバックの場合は、映像品質判定オートプリセットプログラム２は、次のチャンネルをサーチするためステップＡ２の処理に戻る。
【０１０７】
抽出されたＲＧＢ成分がブルーバックでない場合は、映像品質判定オートプリセットプログラム２は、Ｒ，Ｇ，Ｂ成分それぞれをＤＣＴ（離散コサイン変換）で周波数に変換する。ＤＣＴにより、周波数変換する原理は実施例１で説明したとおりである（ステップＡ８）。
【０１０８】
映像品質判定オートプリセットプログラム２は、ＤＣＴで得られた周波数より高周波成分の絶対値を抽出し、平均値（総平均値＝各色別の平均値の平均値）を算出する。平均値の算出方法も実施例１で説明したとおりである（ステップＡ９）。映像品質判定オートプリセットプログラム２は、この平均値（総平均値）とあらかじめ設定された閾値とを比較することにより、ノイズが多いか判別し、映像品質が良好か不良か判断する（ステップＡ１０）。
【０１０９】
ノイズが多い場合（総平均値が閾値以上の場合）は、映像品質判定オートプリセットプログラム２は、映像品質は不良と判断し、次のチャンネルをサーチするためステップＡ２の処理に戻る。
【０１１０】
ノイズが少ない場合（総平均値が閾値未満の場合）は、映像品質判定オートプリセットプログラム２は、映像品質は良好と判断し、チャンネルプリセット部２５にカウンタ（チャンネルカウンタ）の値のチャンネルのプリセットを要求する。チャンネルプリセット部２５は、このチャンネルプリセット要求により、チャンネルプリセットメモリ部２９にカウンタの値のチャンネルを格納する。チャンネルプリセットメモリ部２９におけるチャンネル番号の格納も、実施例１で説明したとおりである（ステップＡ１１）。
【０１１１】
その後、映像品質判定オートプリセットプログラム２は、ステップＡ２の処理に戻る。
【０１１２】
映像品質判定オートプリセットプログラム２は、ステップＡ２の処理において、前述のようにカウンタ（チャンネルカウンタ）の値を＋１する。映像品質判定オートプリセットプログラム２はさらに、全チャンネルのサーチが終了したか判別するため、カウンタの値が“６３”か判別する（ステップＡ３）。
【０１１３】
カウンタの値が“６３”でない場合は、映像品質判定オートプリセットプログラム２は、全チャンネルのサーチが終了していないと判断し、次のチャンネルをサーチするため、ステップＡ４の処理に進み、再度、映像品質の判定を行う。
【０１１４】
カウンタの値が“６３”である場合は、映像品質判定オートプリセットプログラム２は、全チャンネルのサーチが終了したと判断し、カウンタを“０”クリアする（ステップＡ２１）。映像品質判定オートプリセットプログラム２は最後に、オートプリセット完了通知ＡＰＥをアプリケーションプログラム１へ発行して、オートプリセット処理を終了する（ステップＡ２２）。
【０１１５】
このようにして、実施例１の場合と同様に、図４（分図（Ａ）、（Ｂ））に示すような、チャンネルプリセットメモリ部２９におけるチャンネル登録結果が得られる。
【０１１６】
なお、実施例１の場合と同様に、同期信号の有無にかかわらず、ＲＧＢ成分のノイズの多少のみによって、映像信号の品質を判断可能な場合は、チューナ制御部２３における、ブルーバック化処理を省略することができる。ブルーバック化処理を省略した場合は、上述したステップＡ７の処理を省略し、ステップＡ６の処理後、直ちにステップＡ８の処理を行うようにする。
【０１１７】
上述したように、本実施の形態（実施例２）によれば、実施例１におけるハードウェアの一部（映像品質判定オートプリセット制御部）をソフトウェア（映像品質判定オートプリセットプログラム）に置き替えることができ、より経済性、柔軟性を持たせながら実施例１と同様の効果を得ることができる。すなわち、受信チャンネルの静止画にノイズが少ないかどうか判別してプリセットするため、映像品質が良好なチャンネルをプリセットできる。また、ユーザが介在することなしに映像品質を判別できるため、自動でプリセットできる。さらに、実際に映像品質が良好なチャンネルをプリセットするため、受信地域の正しいプリセットができる。
【実施例３】
【０１１８】
次に、本発明のさらに他の実施の形態を説明する。
【０１１９】
図８は、本発明のオートプリセットシステムを用いたテレビ受信機の一例（実施例３）を示す構成図である。図８を参照すると、本例のテレビ受信機は、アンテナ１１に接続されたチューナ部１０と、チューナ部１０におけるプリセット及び選局を制御する選局制御部２０と、操作部７９からの入力に基づいて受信機全体を制御する主制御７０とを有している。さらにテレビ受信機は、チューナ部１０からの音声信号を処理し、スピーカ４０から音声として出力させる音声信号処理部３０と、チューナ部１０からの映像信号を処理し、モニター６０の画面に映像表示させる映像信号処理部５０とを有している。
【０１２０】
図８（実施例３）に示す選局制御部２０及び主制御７０に、図１（実施例１）に示すオートプリセット処理装置２１及び主制御部７１をそれぞれ含んで構成することができる。あるいは、選局制御部２０及び主制御７０に、図２（実施例２）に示すオートプリセット処理装置２２及び主制御部７２をそれぞれ含んで構成することができる。実施例３のチューナ部１０は、実施例１または２のチューナ１０と同等のものである。
【０１２１】
また、映像信号処理部５０により処理されたＲＧＢ成分の情報を、選局制御部２０のオートプリセット処理装置内のチューナ制御部で受け取るようにしてもよい点も、実施例１または２の場合と同様である。
【０１２２】
主制御部７０及び選局制御部２０による、チューナ部１０に対するオートプリセット設定処理は上述した実施例１、あるいは実施例２の処理と同様なので、詳細説明は省略する。
【０１２３】
本実施例によれば、テレビ受信機において、映像品質が良好なチャンネルをプリセットできる。
【実施例４】
【０１２４】
図９は、本発明のオートプリセットシステムを、パソコン（パーソナル・コンピュータ：ＰＣ）等のコンピュータシステムに適用した場合の構成例（実施例４）を示す図である。用いるオートプリセットシステムとしては、実施例１のもの、あるいは実施例２のもののどちらでもよいが、ここでは実施例２の場合（図２の映像品質判定オートプリセットプログラムを使用するもの）を例に説明する。
【０１２５】
図９を参照すると、本例のコンピュータシステムは、コンピュータ（ＰＣ）９０と、コンピュータ９０に接続されるテレビ受信ボード８０とから成る。テレビ受信ボード８０は、チューナ部８１と、選局制御部８２と、音声信号処理部８３と、映像信号処理部８４と、ＰＣインタフェース部８５とを有している。コンピュータ９０は、ＣＰＵ（中央処理装置）９１と、メモリ９２と、バス９３と、磁気ディスク装置（ＨＤＤ）９４と、周辺インタフェース部９５と、音声出力部９６と、映像出力部９７と、操作入力部９８とを有している。
【０１２６】
テレビ受信ボード８０をコンピュータ９０に接続させる方法としては、テレビ受信ボード８０をコンピュータ９０に内蔵させる方法、あるいはテレビ受信ボード８０及びコンピュータ９０間をケーブルで接続する方法などがある。また、テレビ受信ボード８０をカード化し、外部からコンピュータ９０に着脱自在とする方法もある。
【０１２７】
テレビ受信ボード８０とコンピュータ９０とのインタフェース信号形式としては、ＰＣＩ（Ｐｅｒｉｐｈｅｒａｌ  Ｃｏｍｐｏｎｅｎｔ  Ｉｎｔｅｒｃｏｎｎｅｃｔ）や、ＵＳＢ（Ｕｎｉｖｅｒｓａｌ  Ｓｅｒｉａｌ  Ｂｕｓ）などがある。
【０１２８】
テレビ受信ボード８０のチューナ部８１は、アンテナコネクタ８１１を介して入力されるテレビ放送電波信号を受信（選局、同調、検波）し、該当チャンネルの映像信号、音声信号を出力する。
【０１２９】
選局制御部８２は、チューナ部８１におけるプリセット及び選局を制御する。
【０１３０】
音声信号処理部８３は、チューナ部８１からの音声信号を処理する。
【０１３１】
映像信号処理部８４は、チューナ部８１からの映像信号を処理する。
【０１３２】
ＰＣインタフェース部８５は、コンピュータ９０の周辺インタフェース部９５に接続され、選局制御部８２，音声信号処理部８３，及び映像信号処理部８４と、コンピュータ９０との間の信号送受信を仲介する。
【０１３３】
コンピュータ９０のＣＰＵ（中央処理装置）９１は、バス９３を介して他の回路と接続され、メモリ９２に格納されたプログラムを実行することにより、全体の制御を行う。
【０１３４】
磁気ディスク装置（ＨＤＤ）９４は、プログラムやデータを保存する。プログラムを実行させるときは、ＨＤＤ９４からメモリ９２に転送する。なお、プログラム実行中の一時的なデータの保存はメモリ９２で行う。
【０１３５】
周辺インタフェース部９５は、テレビ受信ボード８０のＰＣインタフェース部８５と接続され、テレビ受信ボード８０との間の信号送受信を仲介する。
【０１３６】
音声出力部９６は、スピーカ９６１を駆動し、ユーザ（視聴者）に対する音声の可聴出力を行う。
【０１３７】
映像出力部９７は、モニター９７１を駆動し、ユーザに対する映像の可視表示を行う。
【０１３８】
操作入力部９８は、マウス９８１、及びキーボード９８２からのユーザ操作情報を入力する。
【０１３９】
テレビ受信ボード８０のチューナ部８１は、図２に示すチューナ１０と同等のもので構成されている。また選局制御部８２は、図２に示すオートプリセット処理装置２２と同等のもの（チャンネル制御部、静止画キャブチャ部、チャンネルプリセット部）を含んで構成されている。
【０１４０】
図２に示す記憶装置２７（静止画メモリ部２８、チャンネルプリセットメモリ部２９）と同等の役割を、メモリ９２あるいは磁気ディスク装置（ＨＤＤ）９４が受け持つ。
【０１４１】
また、コンピュータ９０の磁気ディスク装置（ＨＤＤ）９４には、図２に示すアプリケーションプログラム１、及び映像品質判定オートプリセットプログラム２と同等のプログラムが保存されている。これらのプログラムは、ＣＰＵ９１の制御の下、メモリ９２に転送されて実行される。
【０１４２】
アプリケーションプログラムとユーザ間の情報送受信は、モニター９７１、及びマウス９８１あるいはキーボード９８２を介して行われる。
【０１４３】
映像品質判定オートプリセットプログラムによるオートプリセットのための制御信号は、周辺インタフェース部９５、ＰＣインタフェース部８５を介して選局制御部８２（チャンネル制御部、静止画キャブチャ部、チャンネルプリセット部）へ伝達される。
【０１４４】
また、映像信号処理部８４により処理されたＲＧＢ成分の情報を、選局制御部８２のオートプリセット処理装置内のチューナ制御部で受け取るようにしてもよい点も、実施例２の場合と同様である。
【０１４５】
本実施例における、映像品質判定オートプリセットプログラム、チャンネル制御部、静止画キャブチャ部、チャンネルプリセット部などの動作は、実施例２の場合と同様であるので説明を省略する。
【０１４６】
上述の説明においては、本実施例のオートプリセットシステムは、実施例２に示す映像品質判定オートプリセットプログラムを使用するものとしたが、これに限らず、実施例１に示す映像品質判定オートプリセット制御部を使用するものでもよい。
【０１４７】
この場合、テレビ受信ボード８０の選局制御部８２は、図１に示すオートプリセット処理装置２１と同等のもの（チャンネル制御部、静止画キャブチャ部、チャンネルプリセット部、映像品質判定オートプリセット制御部）を含んで構成されている。また、コンピュータ９０の磁気ディスク装置（ＨＤＤ）９４には、図１に示すアプリケーションプログラム１と同等のプログラムが保存される。
【０１４８】
本実施例によれば、テレビ受信ボードを接続したコンピュータ（ＰＣ）において、映像品質が良好なチャンネルをプリセットできる。また、オートプリセットの処理を映像品質判定オートプリセットプログラムを用いて行うようにした場合は、テレビ受信カードのハードウェア構成を簡略することができ、小型化、コスト低減を図ることができる。
【産業上の利用可能性】
【０１４９】
本発明によれば、オートプリセット機能を持ったテレビやビデオ、テレビ機能を持ったコンピュータのオートプリセット機能を実現するためのプログラムといった用途に適用できる。また、映像品質判定機能を放送またはインターネット等で配信される映像の品質判定といった用途にも適用できる。
【図面の簡単な説明】
【０１５０】
【図１】本発明の第１の実施の形態を示すブロック構成図である。
【図２】本発明の第２の実施の形態を示すブロック構成図である。
【図３】本発明の動作を説明するフローチャートである。
【図４】本発明によるプリセット処理結果の一例を示す図である。
【図５】従来技術の問題点を説明するための第１の図である。
【図６】従来技術の問題点を説明するための第２の図である。
【図７】従来技術の問題点を説明するための第３の図である。
【図８】本発明の第３の実施の形態を示すブロック構成図である。
【図９】本発明の第４の実施の形態を示すブロック構成図である。
【符号の説明】
【０１５１】
２    映像品質判定オートプリセットプログラム
１０，８１    チューナ（チューナ部）
２０，８２    選局制御部
２１，２２    オートプリセット処理装置
２３    チューナ制御部
２４    静止画キャプチャ部
２５    チャンネルプリセット部
２６    映像品質判定オートプリセット制御部
２７    記憶装置
２８    静止画メモリ部
２９    チャンネルプリセットメモリ部
５０，８４    映像信号処理部
７０，７１，７２    主制御部
８０    テレビ受信ボード
９０    コンピュータ
９１    ＣＰＵ（中央処理装置）
９２    メモリ
９４    磁気ディスク装置（ＨＤＤ）
【図１】
2006246231.tif 000003
【図２】
2006246231.tif 000004
【図３】
2006246231.tif 000005
【図４】
2006246231.tif 000006
【図５】
2006246231.tif 000007
【図６】
2006246231.tif 000008
【図７】
2006246231.tif 000009
【図８】
2006246231.tif 000010
【図９】
2006246231.tif 000011